(57)【要約】      （修正有）【課題】衣服に外観的特徴を付与しながら、衣服の自然な形状を阻害することなく容易に装着できる衣服装飾装置を提供する。【解決手段】衣服装飾装置１００は、第１挟持部１０１、第２挟持部１０３、接続部１０５、及び、装飾部１０９を有している。第１挟持部１０１は、シャツの外側面に沿って配置され、第２挟持部１０３は、内側面に沿って配置される。第１挟持部の第１中間挟持部１０１ａは、所定方向に向かって湾曲した所定長さの平板形状を有している。衣服装飾装置をシャツの襟元に装着し、第１挟持部１０１、装飾部１０９が外部から視認しやすい状態において、第１中間挟持部１０１ａは、シャツの外側面から内側面に向かって凸状に湾曲するように配置される。これにより、人がシャツを着た際に襟元にできる自然な外観形状を阻害することなく衣服装飾装置をシャツに装着することができる。【選択図】図２
0003207346.tif 000002
【実用新案登録請求の範囲】
【請求項１】
衣服に取り付け、衣服を装飾する衣服装飾装置であって、
前記衣服装飾装置は、
前記衣服の外側面に沿って配置され、所定長さを有する第１挟持部、
前記衣服の内側面に沿って配置され、所定長さを有する第２挟持部、
を有し、
前記第１挟持部は、
所定方向に向かって湾曲した第１中間挟持部、
前記第１中間挟持部の一端から連続して位置する第１開端部、
を有し、
前記第２挟持部は、
前記第１中間挟持部の湾曲に沿うように、所定方向に向かって湾曲した第２中間挟持部、
前記第２中間挟持部の一端から連続して位置する第２開端部、
を有すること、
を特徴とする衣服装飾装置。
【請求項２】
請求項１に係る衣服装飾装置において、
前記第１開端部は、
前記第２開端部に対して所定の角度で開くように形成されていること、
を特徴とする衣服装飾装置。
【請求項３】
請求項１又は請求項２に係る衣服装飾装置において、
前記第１挟持部は、
前記第２挟持部とは異なる長さを有すること、
を特徴とする衣服装飾装置。
【請求項４】
請求項１〜請求項３に係るいずれかの衣服装飾装置かにおいて、さらに、
前記第１中間挟持部の一端と前記第２中間挟持部の一端とを接続し、前記第１中間挟持部と前記第２中間挟持部との間に位置する所定物を挟持する力を発生させる接続部、
を有する衣服装飾装置。
【請求項５】
請求項１〜請求項４に係るいずれかの衣服装飾装置において、
少なくとも前記第１挟持部、又は、前記第２挟持部の一方は、
前記衣服に形成されている所定の孔を通過することができる幅を有していること、
を特徴とする衣服装飾装置。
【請求項６】
請求項１〜請求項５に係るいずれかの衣服装飾装置において、
前記第１挟持部と前記第２挟持部とは、
磁力により互いに吸引すること、
を特徴とする衣服装飾装置。
【請求項７】
請求項１〜請求項６に係るいずれかの衣服装飾装置かにおいて、さらに、
取り外しできない装飾部、
を有する衣服装飾装置。
【請求項８】
請求項１〜請求項６に係るいずれかの衣服装飾装置かにおいて、さらに、
取り外しできる装飾部を取り付けるための装飾取付部、
を有する衣服装飾装置。
【請求項９】
請求項１〜請求項８に係るいずれかの衣服装飾装置かにおいて、
前記衣服は、
シャツであること、
を特徴とする衣服装飾装置。
【請求項１０】
衣服に取り付け、衣服を装飾する衣服装飾装置であって、
前記衣服の外側面に沿って配置され、所定長さを有する第１挟持部、
前記衣服の内側面に沿って配置され、所定長さを有する第２挟持部、
を有し、
前記第１挟持部は、
所定方向に向かって湾曲した第１中間挟持部、
前記第１中間挟持部の一端から連続して位置する第１開端部、
を有し、
前記第２挟持部は、
前記第１中間挟持部の湾曲に沿うように、所定方向に向かって湾曲した第２中間挟持部、
前記第２中間挟持部の一端から連続して位置する第２開端部、
を有する衣服装飾装置を前記衣服に固定する衣服装飾装置の固定方法であって、
前記第１挟持部が前記衣服の前記外側面に沿って位置し、前記第２挟持部が前記衣服の前記内側面に沿って位置する状態とし、前記第１開端部を、前記衣服の前記外側面から前記内側面に向かって、前記衣服に形成される第１の孔に通し、前記第１中間挟持部を前記外側面に、前記第１開端部を前記内側面に、それぞれを位置させることによって、前記衣服装飾装置を前記衣服に固定する衣服装飾装置の固定方法。
【請求項１１】
請求項１０に係る衣服装飾装置の固定方法において、
前記第１の孔は、
シャツの第２ボタンに対応するボタンホールであること、
を特徴とする衣服装飾装置の固定方法。
【請求項１２】
請求項１０又は請求項１１に係る衣服装飾装置の固定方法において、
前記第２開端部を、前記衣服の前記外側面から前記内側面に向かって、前記衣服に形成される第２の孔に通して、前記第１中間挟持部が前記外側面に沿って位置し、前記第２中間挟持部が前記内側面に沿って位置する状態とすること、
を特徴とする衣服装飾装置の固定方法。
【請求項１３】
請求項１０又は請求項１１に係る衣服装飾装置の固定方法において、
前記第１開端部を、前記衣服の前記内側面から前記外側面に向かって、前記衣服に形成される第２の孔に通して、前記第１中間挟持部が前記外側面に沿って位置し、前記第２中間挟持部が前記内側面に沿って位置する状態とすること、
を特徴とする衣服装飾装置の固定方法。
【請求項１４】
請求項１２又は請求項１３に係る衣服装飾装置の固定方法において、
前記第２の孔は、
シャツの第１ボタンに対応するボタンホールであること、
を特徴とする衣服装飾装置の固定方法。
【考案の詳細な説明】
【技術分野】
【０００１】
本考案は、衣服装飾装置に関し、特に、衣服に外観的特徴を付与しながら、衣服の自然な形状を阻害することなく容易に装着できるものに関する。
【背景技術】
【０００２】
従来の衣服装飾装置について、図１０、図１１に示す衣服ボタン穴用留具１０を用いて説明する。図１０に示すように、衣服ボタン穴用留具１０は、例えば、金、プラチナ、ホワイトゴールド、シルバー、チタン、真鍮等の金属を主素材として一体的に形成されるもので、外形形状では略棒状となり、Ｙシャツ等の衣服のボタン穴に容易に通すことができる小径な軸部１３を中央に有している。また、その外壁には線つなぎ模様１２（湾曲した細線の集合により形成される模様）が、またその内部には貫通孔１４が形成され、中空部分による衣服ボタン穴用留具の軽量化、コスト低減が図られている。
【０００３】
また、軸部１３の両端には、外形形状では鍔状となり、Ｙシャツ等の衣服のボタン穴に斜方向から楽に挿入することができ、通常の状態（垂直方向）ではボタン穴に係止できる程度の大径である係止部１６が形成されている。係止部１６には、例えば、ダイアモンドやアクアマリンの宝石１８が、一般的な石留技法、ここでは覆輪留めにより固定され、装飾部２０が形成されている。
【０００４】
図１１に示すように、このような衣服ボタン穴用留具１０は、Ｙシャツ等の衣服襟部２２を開放して着用する際に、その首部等のボタン穴２４に斜め方向から係止部１６を挿入し、軸部１２（図１０参照）の中間で係止する。この場合において、大径の係止部１６はボタン穴２４から離脱せず、衣服ボタン穴用留具１０が使用中に外れることはない。また、衣服ボタン穴用留具１０は両端の係止部１６に装飾部２０（図１０参照）を有しているので、通常では外側の宝石１８がその輝きを放ち、仮に、衣服襟部２２が大きく開いた場合にも内側の宝石１８が輝きを放つので、ファッション的効果を十分に発揮することができる。すなわち、新しいスタイルのおしゃれを楽しみながら、ネクタイを締めなくてもだらしない印象を与えることがない。さらに、軸部１２にはその表面全体に線つなぎ模様１３（図１０参照）が施されていることにより、装着中に回転した場合でも美感を保つことができる（以上、特許文献１参照）。
【先行技術文献】
【特許文献】
【０００５】
【特許文献１】特開２００８−１８３３２５号公報
【考案の概要】
【考案が解決しようとする課題】
【０００６】
前述の衣服ボタン穴用留具１０には、以下に示すような改善すべき点がある。衣服ボタン穴用留具１０は、ボタン穴２４によって係止される係止部１６が衣服に対して外観的特徴を付与するものである。ここで、係止部１６は、ボタン穴２４に係止される程度の大きさであるため、衣服に付与する外観的特徴は限定的である。
【０００７】
そこで、本考案は、衣服に外観的特徴を付与しながら、衣服の自然な形状を阻害することなく容易に装着できる衣服装飾装置を提供することを目的とする。また、取り付け、取り外し等により外観的特徴を変更できる衣服装飾装置を提供することを目的とする。
【考案の効果】
【０００８】
本考案における課題を解決するための手段及び考案の効果を以下に示す。
【０００９】
本考案に係る衣服装飾装置は、衣服を装飾する衣服装飾装置であって、前記衣服装飾装置は、前記衣服の外側面に沿って配置され、所定長さを有する第１挟持部、前記衣服の内側面に沿って配置され、所定長さを有する第２挟持部、を有し、前記第１挟持部は、所定方向に向かって湾曲した第１中間挟持部、前記第１中間挟持部の一端から連続して位置する第１開端部、を有し、前記第２挟持部は、前記第１中間挟持部の湾曲に沿うように、所定方向に向かって湾曲した第２中間挟持部、前記第２中間挟持部の一端から連続して位置する第２開端部、を有すること、を特徴とする。
【００１０】
これにより、人が衣服を着た際にできる自然な外観形状を阻害することなく衣服装飾装置を衣服に装着することができる。
【００１１】
本考案に係る衣服装飾装置では、前記第１開端部は、前記第２開端部に対して所定の角度で開くように形成されていること、を特徴とする。
【００１２】
これにより、衣服装飾装置を衣服に装着する際に、第１挟持部の第１開端部と第２挟持部の第２開端部との間に、衣服の端縁を容易に配置でき、衣服装飾装置を容易に衣服に装着することができる。
【００１３】
本考案に係る衣服装飾装置では、前記第１挟持部は、前記第２挟持部とは異なる長さを有すること、を特徴とする。
【００１４】
これにより、第１挟持部と第２挟持部との長さの違いを利用できるので、衣服装飾装置を衣服に容易に装着できる。
【００１５】
本考案に係る衣服装飾装置では、前記第１中間挟持部の一端と前記第２中間挟持部の一端とを接続し、前記第１中間挟持部と前記第２中間挟持部との間に位置する所定物を挟持する力を発生させる接続部、を有する。
【００１６】
これにより、容易に衣服装飾装置を衣服に安定して装着できる。
【００１７】
本考案に係る衣服装飾装置では、少なくとも前記第１挟持部、又は、前記第２挟持部の一方は、前記衣服に形成されている所定の孔を通過することができる幅を有していること、を特徴とする。
【００１８】
これにより、第１挟持部、又は、第２挟持部を、シャツの孔に通すだけで、容易に第１挟持部と第２挟持部とを衣服を介して互いに異なる側に配置できる。よって、容易に衣服装飾装置を装着できる。また、第１開端部をシャツの孔に通し、第１中間挟持部が位置する側とは異なる側に配置することによって、第１開端部をシャツによって被覆できる。これにより、安全に衣服装飾装置を装着できる。
【００１９】
本考案に係る衣服装飾装置では、前記第１挟持部と前記第２挟持部とは、磁力により互いに吸引すること、を特徴とする。
【００２０】
これにより、容易に衣服装飾装置を衣服に安定して装着できる。
【００２１】
本考案に係る衣服装飾装置では、さらに、取り外しできない装飾部、を有する。これにより、装飾部を紛失する可能性を少なくできる。また、比較的大きな装飾を施すことができる。
【００２２】
本考案に係る衣服装飾装置では、さらに、取り外しできる装飾部を取り付けるための装飾取付部、を有する。これにより、装飾部を容易に取り替えることができるため、多様な装飾を衣服に施すことができる。
【００２３】
本考案に係る衣服装飾装置では、前記衣服は、シャツであること、を特徴とする。
【００２４】
これにより、容易にシャツに外観的特徴を付与することができる衣服装飾装置を装着することができる。
【００２５】
本考案に係る衣服装飾装置を前記衣服に固定する衣服装飾装置の固定方法は、衣服に取り付け、衣服を装飾する衣服装飾装置であって、前記衣服の外側面に沿って配置され、所定長さを有する第１挟持部、前記衣服の内側面に沿って配置され、所定長さを有する第２挟持部、を有し、前記第１挟持部は、所定方向に向かって湾曲した第１中間挟持部、前記第１中間挟持部の一端から連続して位置する第１開端部、を有し、前記第２挟持部は、前記第１中間挟持部の湾曲に沿うように、所定方向に向かって湾曲した第２中間挟持部、前記第２中間挟持部の一端から連続して位置する第２開端部、を有する衣服装飾装置を前記衣服に固定する衣服装飾装置の固定方法であって、前記第１挟持部が前記衣服の前記外側面に沿って位置し、前記第２挟持部が前記衣服の前記内側面に沿って位置する状態とし、前記第１開端部を、前記衣服の前記外側面から前記内側面に向かって、前記衣服に形成される第１の孔に通し、前記第１中間挟持部を前記外側面に、前記第１開端部を前記内側面に、それぞれを位置させることによって、前記衣服装飾装置を前記衣服に固定する衣服装飾装置の固定方法。
【００２６】
これにより、第１開端部の移動範囲を第１の孔の範囲に限定できるので、衣服に装着した衣服装飾装置が左右にずれることがない。つまり、衣服装飾装置を衣服に確実に固定することができる。
【００２７】
本考案に係る衣服装飾装置の固定方法では、前記第１の孔は、シャツの第２ボタンに対応するボタンホールであること、を特徴とする。
【００２８】
これにより、第２ボタンに対応するボタンホールの位置で、衣服装飾装置を固定することができる。
【００２９】
本考案に係る衣服装飾装置の固定方法では、前記第２開端部を、前記衣服の前記外側面から前記内側面に向かって、前記衣服に形成される第２の孔に通して、前記第１中間挟持部が前記外側面に沿って位置し、前記第２中間挟持部が前記内側面に沿って位置する状態とすること、を特徴とする。
【００３０】
これにより、衣服の外側面から内側面に向かって、第２開端部を第２の孔に通すことによって、第２の孔と第１の孔との間で衣服装飾装置を容易に固定できる。
【００３１】
本考案に係る衣服装飾装置の固定方法では、前記第１開端部を、前記衣服の前記内側面から前記外側面に向かって、前記衣服に形成される第２の孔に通して、前記第１中間挟持部が前記外側面に沿って位置し、前記第２中間挟持部が前記内側面に沿って位置する状態とすること、を特徴とする。
【００３２】
これにより、衣服の内側面から外側面に向かって、第１開端部を第２の孔に通すことによって、第２の孔と第１の孔との間で衣服装飾装置を容易に固定できる。
【００３３】
本考案に係る衣服装飾装置の固定方法では、前記第２の孔は、シャツの第１ボタンに対応するボタンホールであること、を特徴とする。
【００３４】
これにより、第１ボタンに対応するボタンホールと第２ボタンに対応するボタンホールとの間で、衣服装飾装置を固定することができる。
【図面の簡単な説明】
【００３５】
【図１】本考案に係る衣服装飾装置の一実施例である衣服装飾装置１００を簡易に示す図である。
【図２】衣服装飾装置１００のを示す図であり、Ａは右側面図を、Ｂは正面図を、それぞれ示す。
【図３】衣服装飾装置１００の装着方法を示す図である。
【図４】衣服装飾装置１００の装着方法を示す図である。
【図５】衣服装飾装置１００の装着方法を示す図である。
【図６】衣服装飾装置１００の装着方法を示す図である。
【図７】衣服装飾装置１００の装着方法を示す図である。
【図８】衣服装飾装置１００の装着方法を示す図である。
【図９】本考案に係る衣服装飾装置のその他の実施例を示す図である。
【図１０】従来の衣服装飾装置を示す図である。
【図１１】従来の衣服装飾装置を示す図である。
【考案を実施するための形態】
【００３６】
以下、本考案の実施例について、図面を参照しながら詳細に説明していく。
【実施例１】
【００３７】
本考案に係る衣服装飾装置の一実施形態である衣服装飾装置１００について、図１を用いて説明する。図１は、衣服装飾装置１００をシャツＳに装着した状態を示している。衣服装飾装置１００は、シャツＳの直線上に配置されるボタンホールＨに沿って装着し、シャツに外観上の特徴を付加するものである。なお、図１におけるシャツＳは、いわゆる右前であり、男性用を示している。
【００３８】
１．衣服装飾装置１００の構成
図１に衣服装飾装置１００の構成について、図２を用いて説明する。なお、衣服装飾装置１００の右側面図を図２Ａに、正面図を図２Ｂに、それぞれ示す。図２Ａに示すように、衣服装飾装置１００は、第１挟持部１０１、第２挟持部１０３、接続部１０５、及び、装飾部１０９（図２中、点線表示）を有している。第１挟持部１０１は、シャツＳの外側面Ｐ１（図１参照）に沿って配置される。一方、第２挟持部１０３は、内側面Ｐ３（図１参照）に沿って配置される。
【００３９】
なお、衣服装飾装置１００は、シャツＳの襟元を開放して着用する際に、シャツＳの襟元の外側に装飾を施すものであり、衣服装飾装置１００を襟元のいわゆる第１ボタンを外した状態のシャツＳに装着すると、第１挟持部１０１に取り付けられている装飾部１０９が外側から視認しやすいシャツＳの外側面Ｐ１（図１参照）に配置される。一方、第２挟持部１０３は外側から視認しにくい内側面Ｐ３（図１参照）に配置される。
【００４０】
第１挟持部１０１は、第１中間挟持部１０１ａ、及び、第１開端部１０１ｂを有している。第１中間挟持部１０１ａは、湾曲した所定長さの平板形状を有している。第１中間挟持部１０１ａは、所定方向に向かって湾曲している。ここで、衣服装飾装置１００をシャツＳの襟元に装着し、第１挟持部１０１、及び、装飾部１０９が外部から視認しやすい状態において、第１中間挟持部１０１ａは、シャツＳの外側面Ｐ１から内側面Ｐ３に向かって凸状に湾曲するように配置される。このように湾曲した第１中間挟持部１０１ａを形成することによって、人がシャツＳを着た際に襟元にできる自然な外観形状を阻害することなく衣服装飾装置１００をシャツＳに装着することができる。
【００４１】
第１開端部１０１ｂは、第１中間挟持部１０１ａから連続して形成される。第１開端部１０１ｂは、第１中間挟持部１０１ａの湾曲に対して、さらに少し同方向に湾曲するように形成される。これにより、第１開端部１０１ｂは、第２挟持部１０３の第２開端部１０３ｂ（後述）に対して開くように位置する。つまり、第１挟持部１０１の第１開端部１０１ｂは、第２挟持部１０３の第２開端部１０３ｂに対して所定の角度αで配置される。これにより、衣服装飾装置１００をシャツＳに装着する際に、第１挟持部１０１の第１開端部１０１ｂまたは第２挟持部１０３の第２開端部１０３ｂを、シャツＳのボタンホールＨ１（図３参照）に容易に挿入できる。つまり、衣服装飾装置１００を容易にシャツＳに装着することができる。なお、第２挟持部１０３と第１挟持部１０１とは、異なる長さを有しており、第１挟持部１０１より長さが長い。これにより、衣服装飾装置を衣服に装着した際に、第２挟持部の第２中間挟持部に加えて第２開端部によって、衣服を支えることができ、衣服が形成する自然な外観を阻害することなく衣服装飾装置を装着することができる。
【００４２】
第２挟持部１０３は、第２中間挟持部１０３ａ、及び、第２開端部１０３ｂを有している。第２中間挟持部１０３ａは、湾曲した所定長さの平板形状を有している。第２中間挟持部１０３ａは、第１中間挟持部１０１ａの湾曲に沿うように、所定方向に向かって湾曲している。このように湾曲した第２中間挟持部１０３ａを配置することによって、人がシャツＳを着た際に襟元にできる自然な外観形状を阻害することなく衣服装飾装置１００をシャツＳに装着することができる。
【００４３】
第２開端部１０３ｂは、第２中間挟持部１０３ａから連続して形成される。第２開端部１０３ｂは、第２中間挟持部１０３ａに対して滑らかに湾曲するように形成するように、第２中間挟持部１０３ａの延長上に形成される。これにより、衣服装飾装置１００をシャツＳに装着した際に、第２挟持部１０３の第２中間挟持部１０３ａに加えて第２開端部１０３ｂによって、シャツＳを裏側から支えることができる。よって、シャツＳが形成する自然な外観を阻害することなく衣服装飾装置１００を装着することができる。
【００４４】
接続部１０５は、Ｕ字形状を有しており、第１中間挟持部１０１ａの一端と第２中間挟持部１０３ａの一端とを接続する。なお、接続部１０５は、第１中間挟持部１０１ａと第２中間挟持部１０３ａとの間に位置する所定物を挟持する弾性力が発生するように、第１中間挟持部１０１ａ及び第２中間挟持部１０３ａに接続される。第１中間挟持部１０１ａ及び第２中間挟持部１０３ａは、互いの間に発生する弾性力によって、確実にシャツＳを挟持する。これにより、衣服装飾装置１００は、確実に、また、安定してシャツＳに装着される。なお、第１挟持部１０１、第２挟持部１０３、及び、接続部１０５は、一体として形成される。
【００４５】
装飾部１０９は、衣服装飾装置１００に外観上の特徴的装飾を付与する。衣服装飾装置１００では、装飾部１０９は、第１挟持部１０１の第１中間挟持部１０１ａ、及び、接続部１０５に直接に、取り外しできないように取り付けられる。また、装飾部１０９は、第１中間挟持部１０１ａ、及び、接続部１０５から、外部に突出する形状を有している。これにより、衣服装飾装置１００をシャツＳに装着した際に、装飾部１０９を、外側から視認できる位置に配置することができる。また、装飾部１０９によって、第１中間挟持部１０１ａの一部又は全部を外部から隠すことができるので、衣服装飾装置１００をシャツＳに装着した際に、より優れた美観を形成することができる。
【００４６】
２．衣服装飾装置１００の装着方法
（１）  第１の装着方法
衣服装飾装置１００の第１の装着方法について、図３〜図５を用いて説明する。なお、図３〜図５は、図１におけるＸ−Ｘ断面に対応した断面を示している。図３に示すように、衣服装飾装置１００をシャツＳに装着する際には、使用者は、例えば、鉛直に配置されているボタンホールＨの最上部のボタンホールＨ１、いわゆる第１ボタンに対応するボタンホールＨ１に、シャツＳの外側面Ｐ１側から内側面Ｐ３側に向かって、衣服装飾装置１００の第２挟持部１０３の第２開端部１０３ｂを挿入し、第１開端部１０１ｂと第２開端部１０３ｂとの間にシャツＳを配置する。なお、衣服装飾装置１００では、第２挟持部１０３が第１挟持部１０１より長いため、第２挟持部１０３の第２開端部１０３ｂをボタンホールＨ１に挿入することにより、一般的に、衣服装飾装置１００を取り付け易くなる。
【００４７】
そして、図４に示すように、使用者は、第１挟持部１０１を外側面Ｐ１に沿って下方へ移動させる一方、第２開端部１０３ｂを内側面Ｐ３に沿って下方に移動させる。これにより、第１挟持部１０１及び装飾部１０９をシャツＳの外側面Ｐ１側に、第２挟持部１０３をシャツＳの内側面Ｐ３に、それぞれを位置させるとともに、第１中間挟持部１０１ａと第２中間挟持部１０３ａとで、シャツＳを挟持できるため、衣服装飾装置１００をシャツＳに安定して装着できる。
【００４８】
その後、使用者は、図５に示すように、第２開端部１０３ｂを挿入したボタンホールＨ１とは異なるボタンホールＨ２、例えば、いわゆる第２ボタンに対応するボタンホールＨ２に、外側面Ｐ１側から内側面Ｐ３側に向かって、第１開端部１０１ｂを挿入する。これにより、第１開端部１０１ｂは、内側面Ｐ３側に位置することになる。このように、衣服装飾装置１００は、ボタンホールＨ１とボタンホールＨ２との２点で取り付け位置が固定されるため、左右にずれることがない。よって、衣服装飾装置１００を安定した状態で固定することができる。また、第１開端部１０１ｂを、シャツＳによって被覆することができる。第１開端部１０１ｂは、第２挟持部１０３の第２開端部１０３ｂに対して開くように形成されているため、ボタンホールＨ２で被覆しない状態では外部に向かって突出した状態になる。よって、第１開端部１０１ｂを、シャツＳによって被覆することによって、安全に衣服装飾装置１００をシャツＳに装着できる。
【００４９】
さらに、使用者は、第１ボタンに対応するボタンホールＨ１に、衣服装飾装置１００の接続部１０５が当接するまで、第１挟持部１０１を外側面Ｐ１に沿って、また、第２開端部１０３ｂを内側面Ｐ３に沿って、下方に移動させる。これにより、衣服装飾装置１００を安定してシャツＳに装着する。
【００５０】
（２）  第２の装着方法
衣服装飾装置１００の第２の装着方法について、図６〜図８を用いて説明する。なお、図６〜図８も、図３〜図５と同様に、図１におけるＸ−Ｘ断面に対応した断面を示している。図６に示すように、衣服装飾装置１００をシャツＳに装着する際には、使用者は、例えば、鉛直に配置されているボタンホールＨの鉛直上部のシャツＳの襟元の上端縁Ｓ１を、衣服装飾装置１００の第１開端部１０１ｂと第２開端部１０３ｂとの間に配置する。このとき、使用者は、第１挟持部１０１及び装飾部１０９をシャツＳの外側面Ｐ１側に、第２挟持部１０３をシャツＳの内側面Ｐ３に、それぞれを位置させる。
【００５１】
そして、使用者は、第１挟持部１０１を外側面Ｐ１に沿って下方へ移動させる一方、第２開端部１０３ｂを内側面Ｐ３に沿って下方に移動させる。これにより、第１中間挟持部１０１ａと第２中間挟持部１０３ａとで、シャツＳを挟持できるため、衣服装飾装置１００をシャツＳに安定して装着できる。
【００５２】
その後、使用者は、図７に示すように、所定のボタンホールＨ、例えば、いわゆる第２ボタンに対応するボタンホールＨに、外側面Ｐ１側から内側面Ｐ３側に向かって、第１開端部１０１ｂを挿入する。これにより、第１開端部１０１ｂは、内側面Ｐ３側に位置する。これにより、第２挟持部１０３の第２開端部１０３ｂに対して開くように形成されている第１開端部１０１ｂを、シャツＳによって被覆することができるので、安全に衣服装飾装置１００をシャツＳに装着できる。
【００５３】
さらに、使用者は、図８に示すように、シャツＳの上端縁Ｓ１が、衣服装飾装置１００の接続部１０５に当接するまで、第１挟持部１０１を外側面Ｐ１に沿って、また、第２開端部１０３ｂを内側面Ｐ３に沿って、下方に移動させる。これにより、第１ボタンホールＨ１が存在しないシャツＳであっても、衣服装飾装置１００を安定してシャツＳに装着する。
【実施例２】
【００５４】
前述の実施例１における衣服装飾装置１００では、装飾部１０９を直接に第１挟持部１０１に取り付けた。つまり、装飾部１０９は、衣服装飾装置１００に対して取り外しできないものであった。一方、本実施例に係る衣服装飾装置２００は、装飾取付部２０７を介して、装飾部２０９を取り付けるものである。つまり、装飾部２０９は、衣服装飾装置２００に対して取り外しできるものである。なお、以下においては、実施例１と同様の構成については、実施例１と同じ符号を付し、その詳細な説明を省略する。
【００５５】
１．衣服装飾装置２００の構成
図９に示すように、衣服装飾装置２００は、第１挟持部１０１、第２挟持部１０３、接続部１０５、装飾取付部２０７、及び、装飾部２０９を有している。装飾取付部２０７は、接続部１０５に配置される。装飾取付部２０７は、円環形状を有している。
【００５６】
装飾部２０９は、装飾が施されている側とは反対側に、いわゆる安全ピンのような係止できる棒状部材及び係合部材を有している（図示せず）。装飾部２０９の棒状部材を、装飾取付部２０７の円環形状に挿入し、棒状部材と係合部材とを係合させることによって、装飾部２０９を取り付ける。なお、装飾部２０９を取り替えることによって、衣服装飾装置２００に様々な外観的特徴を与えることができる。
【００５７】
［その他の実施形態］
（１）第１中間挟持部１０１ａ、第２中間挟持部１０３ａの形状：前述の実施例１においては、第１中間挟持部１０１ａは、所定長さの平板形状を有しているとしたが、所定長さを有するものであれば、例示のものに限定されない。例えば、第１中間挟持部１０１ａは、所定長さの角柱形状や円柱形状といった柱状形状を有するとしてもよい。第２中間挟持部１０３ａについても同様である。
【００５８】
（２）第１開端部１０１ｂ：前述の実施例１においては、第１開端部１０１ｂは第１中間挟持部１０１ａに対して、第１中間挟持部１０１ａが湾曲する方向に向かって湾曲するように形成されるとしたが、第２開端部１０３ｂと同様に、第１中間挟持部１０１ａに対して滑らかに延長上に形成されるようにしてもよい。
【００５９】
（３）第１挟持部１０１、第２挟持部１０３の長さ：前述の実施例１においては、第２挟持部１０３は第１挟持部１０１より長いとしたが、第１挟持部１０１が第２挟持部１０３より長くなるようにしてもよい。また、第１挟持部１０１と第２挟持部１０３とが同じ長さとなるようにしてもよい。
【００６０】
（４）装飾部１０９：前述の実施例１においては、装飾部１０９は、外部に突出するように形成されるとしたが、外部に対する装飾として機能するものであれば、例示のものに限定されない。例えば、外部に向かって突出することなく、第１中間挟持部１０１ａに刻印することによって装飾部を形成するようにしてもよい。また、装飾部１０９を、シャツＳの内側面Ｐ３側に位置する第２中間挟持部１０３ａに配置するようにしてもよい。さらに、第２中間挟持部１０３ａに刻印するようにしてもよい。また、装飾部１０９を配置しないようにしてもよい。
【００６１】
（５）装飾取付部２０７：前述の実施例２においては、装飾取付部２０７を接続部１０５に配置するとしたが、装飾部２０９を外部から視認できるように取り付けることができる位置であれば、例示のものに限定されない。例えば、装飾取付部２０７を、第１中間挟持部１０１ａに配置するようにしてもよい。
【００６２】
また、装飾取付部２０７を、接続部１０５と第１中間挟持部１０１ａとに、それぞれを配置するように、異なる場所に、複数、配置するようにしてもよい。これにより、装飾部２０９の取り付け位置を固定することができる。
【００６３】
また、装飾取付部２０７を、シャツＳの内側面Ｐ３側に位置する第２中間挟持部１０３ａや、接続部１０５の内側面Ｐ３側に位置する部分に配置するようにしてもよい。これにより、内側面Ｐ３側にも装飾を施すことができる。
【００６４】
また、装飾取付部２０７は、装飾部２０９を取り付ける円環形状を有するとしたが、装飾部２０９を取り付けることができるものであれば例示のものに限定されない。例えば、スナップのオス、メスのどちらか一方や、面ファスナーのオス、メスのどちらか一方を、装飾取付部として、配置するようにしてもよい。なお、スナップや面ファスナーのオス、メスのうち、装飾取付部として配置しなかった方については、装飾部２０９に配置すればよい。
【００６５】
（６）シャツＳ：前述の実施例１においては、衣服装飾装置１００をシャツＳに装着するとしたが、衣服装飾装置１００を装着できる衣服であれば、例示のものに限定されない。
【００６６】
また、シャツＳとして男性用を示したが、女性用のシャツであってもよい。
【００６７】
さらに、前述の実施例１においては、シャツＳとして襟台に襟羽が着いているタイプを例示したが  襟羽がないタイプ、例えばスタンドカラーのシャツや、襟台がないタイプ、例えばイタリアンカラーのシャツであってもよい。以上については、実施例２における衣服装飾装置２００についても同様である。
【００６８】
（７）ボタンホールＨ：前述の実施例１においては、ボタンホールＨを利用して、衣服装飾装置１００をシャツＳに装着するとしたが、衣服装飾装置１００を装着に利用できるものであれば、例示のものに限定されない。例えば、衣服装飾装置１００の第１開端部１０１ｂを挿入することができる、専用の孔を形成するようにしてもよい。
【００６９】
また、前述の実施例1においては、第１ボタン、第２ボタンのそれぞれに対応するボタンホールＨ１、ボタンホールＨ２の間に、衣服装飾装置１００を固定するとしたが、その他の任意の２つのボタンホールの間で衣服装飾装置１００を固定するようにしてもよい。
【００７０】
（８）第１挟持部１０１及び第２挟持部１０３によるシャツＳの挟持力：前述の実施例１においては、第１挟持部１０１と第２挟持部１０３とを接続する接続部１０５によって、シャツＳを挟持する挟持力を第１挟持部１０１と第２挟持部１０３との間に発生させたが、挟持力を第１挟持部１０１と第２挟持部１０３との間にシャツＳを挟持する挟持力を発生させるものであれば、例示のものに限定されない。例えば、挟持力を第１挟持部１０１及び第２挟持部１０３、互いに吸引する磁力を発生させるようにしてもよい。この場合、第１挟持部１０１、第２挟持部１０３を磁性材料により形成してもよい。また、磁力を発生する部材、例えば、磁石等を、第１挟持部１０１、第２挟持部１０３に、配置するようにしてもよい。
【００７１】
（９）衣服装飾装置１００の取り付け方法：前述の実施例１においては、第１開端部１０１ｂを第２ボタンに対応するボタンホールＨ２に挿入し、第１開端部１０１ｂをシャツＳの内側面Ｐ３側に位置させて、衣服装飾装置１００を装着するとしたが、ボタンホールＨ２に挿入することなく、第１開端部１０１ｂをシャツＳの外側面Ｐ１側に位置させて、衣服装飾装置１００を装着するようにしてもよい。
【００７２】
また、前述の実施例１では、第１挟持部１０１より長さが長い第２挟持部１０３の第２開端部１０３ｂを、シャツＳの外側面Ｐ１側から内側面Ｐ３側に向かって、第１ボタンに対応するボタンホールＨ１に挿入することによって、第１挟持部１０１を外側面Ｐ１側に、第２挟持部１０３を内側面Ｐ３側に、それぞれを配置するとしたが、第１挟持部１０１の第１開端部１０１ｂを、内側面Ｐ３側から外側面Ｐ１側に向かって、ボタンホールＨ１に挿入することによって、第１挟持部１０１を外側面Ｐ１側に、第２挟持部１０３を内側面Ｐ３側に、それぞれを配置するようにしてもよい。なお、第１挟持部１０１に外部に突出した装飾部が存在しない場合や、第２挟持部１０３より第１挟持部１０１の長さが長い場合には、後者の取り付け方法により、取り付けが容易になる場合もある。
【産業上の利用可能性】
【００７３】
本考案に係る衣服装飾装置は、例えば、シャツに取り付ける装飾品として用いることができる。
【符号の説明】
【００７４】
１００      衣服装飾装置
１０１      第１挟持部
１０１ａ      第１中間挟持部
１０１ｂ      第１開端部
１０３      第２挟持部
１０３ａ      第２中間挟持部
１０３ｂ      第２開端部
１０５      接続部
１０９      装飾部
２００      衣服装飾装置
２０７      装飾取付部
２０９      装飾部
Ｓ      シャツ
Ｈ１      ボタンホール
Ｈ２      ボタンホール
Ｐ１      外側面
Ｐ３      内側面
Ｓ１      上端縁
【図１】
0003207346.tif 000003
【図２】
0003207346.tif 000004
【図３】
0003207346.tif 000005
【図４】
0003207346.tif 000006
【図５】
0003207346.tif 000007
【図６】
0003207346.tif 000008
【図７】
0003207346.tif 000009
【図８】
0003207346.tif 000010
【図９】
0003207346.tif 000011
【図１０】
0003207346.tif 000012
【図１１】
0003207346.tif 000013
【手続補正書】
【提出日】平成28年9月1日(2016.9.1)
【手続補正１】
【補正対象書類名】実用新案登録請求の範囲
【補正対象項目名】全文
【補正方法】変更
【補正の内容】
【実用新案登録請求の範囲】
【請求項１】
衣服に取り付け、衣服を装飾する衣服装飾装置であって、
前記衣服装飾装置は、
前記衣服の外側面に沿って配置され、所定長さを有する第１挟持部、
前記衣服の内側面に沿って配置され、所定長さを有する第２挟持部、
を有し、
前記第１挟持部は、
所定方向に向かって湾曲した第１中間挟持部、
前記第１中間挟持部の一端から連続して位置する第１開端部、
を有し、
前記第２挟持部は、
前記第１中間挟持部の湾曲に沿うように、所定方向に向かって湾曲した第２中間挟持部、
前記第２中間挟持部の一端から連続して位置する第２開端部、
を有すること、
を特徴とする衣服装飾装置。
【請求項２】
請求項１に係る衣服装飾装置において、
前記第１開端部は、
前記第２開端部に対して所定の角度で開くように形成されていること、
を特徴とする衣服装飾装置。
【請求項３】
請求項１又は請求項２に係る衣服装飾装置において、
前記第１挟持部は、
前記第２挟持部とは異なる長さを有すること、
を特徴とする衣服装飾装置。
【請求項４】
請求項１〜請求項３に係るいずれかの衣服装飾装置において、さらに、
前記第１中間挟持部の一端と前記第２中間挟持部の一端とを接続し、前記第１中間挟持部と前記第２中間挟持部との間に位置する所定物を挟持する力を発生させる接続部、
を有する衣服装飾装置。
【請求項５】
請求項１〜請求項４に係るいずれかの衣服装飾装置において、
少なくとも前記第１挟持部、又は、前記第２挟持部の一方は、
前記衣服に形成されている所定の孔を通過することができる幅を有していること、
を特徴とする衣服装飾装置。
【請求項６】
請求項１〜請求項５に係るいずれかの衣服装飾装置において、
前記第１挟持部と前記第２挟持部とは、
磁力により互いに吸引すること、
を特徴とする衣服装飾装置。
【請求項７】
請求項１〜請求項６に係るいずれかの衣服装飾装置において、さらに、
取り外しできない装飾部、
を有する衣服装飾装置。
【請求項８】
請求項１〜請求項６に係るいずれかの衣服装飾装置において、さらに、
取り外しできる装飾部を取り付けるための装飾取付部、
を有する衣服装飾装置。
【請求項９】
請求項１〜請求項８に係るいずれかの衣服装飾装置において、
前記衣服は、
シャツであること、
を特徴とする衣服装飾装置。